(57)【要約】      （修正有）【課題】ＬＴＥと５Ｇのタイト・インターワーキングの場合の通信処理方法及び装置を提供する。【解決手段】ＬＴＥ基地局側端末が５Ｇネットワークによってカバーされていることが確定した後、５Ｇネットワークのノードに対して５Ｇネットワークの測定設定を要求し、測定設定を受信した後、端末に転送する。端末は、ＬＴＥ基地局により転送された、５Ｇネットワークのノードが送信した測定設定を受信し、測定設定に従って５Ｇネットワークにおいて信号処理を行う。５Ｇネットワークのノードは、ＬＴＥ基地局から５Ｇネットワークの測定設定の要求を受信し、ＬＴＥ基地局へ測定設定を送信し、測定設定に従って信号処理を行う。【効果】５Ｇの測定において、よりターゲットを絞って、関連するシグナリングオーバヘッドを削減することができるため、ネットワーク側で５Ｇセカンダリ基地局と５Ｇキャリアを追加するかどうかを判断できる。【選択図】図７
2020167716.tif 000002
【特許請求の範囲】
【請求項１】
端末は、ＬＴＥ基地局側により転送された、５Ｇネットワークのノードが送信した測定設定を受信するステップと、
端末は、前記測定設定に従って５Ｇネットワークに対して信号処理を行うステップと
を備え、
前記測定設定に従って５Ｇネットワークに対して信号処理を行うステップは、
前記測定設定に従って５Ｇネットワークに５Ｇネットワーク信号を発送するステップと、
前記測定設定に従って５Ｇネットワーク信号を検出・測定するステップとのうちの少なくとも１つを備え、
前記測定設定に従って５Ｇネットワーク信号を検出・測定した後、
端末は、検出・測定の測定結果をＬＴＥ基地局側へ報告する
ことを特徴とするＬＴＥと５Ｇのタイト・インターワーキングの場合の通信処理方法。
【請求項２】
ＬＴＥ基地局側へ５ＧネットワークにおけるキャリアのＲＳＳＩに対する測定結果を報告する
ことを特徴とする請求項１に記載のＬＴＥと５Ｇのタイト・インターワーキングの場合の通信処理方法。
【請求項３】
ＬＴＥ基地局側へ報告する５ＧネットワークにおけるキャリアのＲＳＳＩに対する測定結果は、ＬＴＥ基地局側の設定に従って行った、５ＧネットワークにおけるキャリアのＲＳＳＩに対する測定の結果である
ことを特徴とする請求項２に記載のＬＴＥと５Ｇのタイト・インターワーキングの場合の通信処理方法。
【請求項４】
ＬＴＥ基地局側により転送された、５Ｇネットワークのノードが送信した関連の設定を受信し、
前記関連の設定に従って５Ｇネットワークのノードと通信する
ことを特徴とする請求項１ないし請求項３のいずれか１項に記載のＬＴＥと５Ｇのタイト・インターワーキングの場合の通信処理方法。
【発明の詳細な説明】
【技術分野】
【０００１】
本発明は、無線通信技術分野に関し、特に、ＬＴＥ（Long TERM Evolution，ＬＴＥ）と５Ｇのタイト・インターワーキングの場合の通信処理方法及び装置に関する。
【背景技術】
【０００２】
図１は、発展型無線アクセスネットワーク（Evolution-Universal Terrestrial Radio Access Network，Ｅ−ＵＴＲＡＮ）のネットワークアーキテクチャの構成図であり、図に示すように、Ｅ−ＵＴＲＡＮは、ｅＮＢ（evolved Node B）により構成される。ｅＮＢは、アクセスネットワークとして機能し、エアインタフェースを介して、ユーザ装置（User Equipment，ＵＥ、端末）と通信する。ＵＥとｅＮＢの間に、制御プレーン接続と、ユーザプレーン接続の両方が存在する。ネットワークに接続された各ＵＥは、移動管理エンティティ（Mobility Management Entity，ＭＭＥ）によってサービスされ、ＭＭＥは、Ｓ１-ＭＭＥインターフェイスを介して、対応するｅＮＢと接続される。Ｓ１-ＭＭＥインターフェースは、移動管理およびベアラ管理機能を含む制御プレーンサービスをＵＥに提供する。
【０００３】
サービングゲートウェイ（Serving Gateway，Ｓ−ＧＷ）は、対応する各ｅＮＢとＳ１-Ｕインタフェースを介して接続され、ネットワークに接続された各ＵＥは、対応するＳ−ＧＷによってサービスされる。Ｓ１-Ｕインターフェースは、ＵＥにユーザプレーンサービスを提供し、ＵＥのユーザプレーンデータは、Ｓ１-Ｕベアラを介して、Ｓ−ＧＷとｅＮＢとの間で伝送される。
【０００４】
図２は、ＬＴＥデュアルコネクティビティ制御プレーンのアーキテクチャを示す図であり、図に示すように、ＬＴＥシステムには、デュアルコネクティビティ（Dual connectivity）がサポートされ、セカンダリ基地局（Secondary eNB，ＳｅＮＢ）のシグナリングは、Ｘ２インタフェースを介してインタラクションされ、マスター基地局（Master eNB，ＭｅＮＢ）はＵＥと通信する。
【０００５】
従来のＬＴＥシステムでデュアルコネクティビティを有する場合、ＳｅＮＢになり得るｅＮＢ上のセルは、測定対象の隣接セルとしてＵＥに割り当て、ＵＥはそれを測定し、ＬＴＥマスター基地局は、ＵＥに割り当てるかどうかを決定するＵＥの測定結果に応じて、対応するｅＮＢ上のセルをＵＥのサービングセル（Serving Cell）として選択する。ＬＴＥマスター基地局及びセカンダリ基地局がリソースについてネゴシエーションを行った後、マスター基地局は、セカンダリ基地局の設定をＵＥに送信する。このアーキテクチャでは、ＭｅＮＢは、ＵＥによる測定およびＵＥのサービス要求に従って、ＳｅＮＢのセル内でＵＥを提供するかどうかを決定する。ＳｅＮＢは、ＳｅＮＢ上のセルの関連の設定をＭｅＮＢに提供することができ、ＭｅＮＢはさらに、それを端末に割り当てる。
【０００６】
図３は、ＬＴＥ＋５Ｇのタイト・インターワーキングアーキテクチャを示す図であり、図に示すように、ＬＴＥと５Ｇのタイト・インターワーキング（tight interworking）のシナリオにおいて、即ち、ＬＴＥはマスター基地局であり、５Ｇネットワークのノードは、セカンダリ基地局である。
【０００７】
従来技術の欠点は、セカンダリ基地局が、ＬＴＥのデュアルコネクティビティモードで同じシステム内に追加されるが、新しいシナリオは、システム間の動作であり、従来技術では、ネットワーク側で、５Ｇセカンダリ基地局と５Ｇキャリアを追加するかどうかを判断するための技術的手段はまだ存在していなかった。
【発明の概要】
【発明が解決しようとする課題】
【０００８】
本発明は、ＬＴＥと５Ｇのタイト・インターワーキングの場合の通信処理方法及び装置を提供して、ネットワーク側で、５Ｇセカンダリ基地局と５Ｇキャリアを追加するかどうかを判断することができるようにする。
【課題を解決するための手段】
【０００９】
本発明の一実施例に係るＬＴＥと５Ｇのタイト・インターワーキングの場合の通信処理方法は、
端末が５Ｇネットワークによってカバーされていることが確定した後、５Ｇネットワークのノードに、５Ｇネットワークの測定設定を要求するステップと、
５Ｇネットワークのノードから測定設定を受信した後、前記端末に転送するステップとを備える。
【００１０】
好ましくは、前記端末が５Ｇネットワークによってカバーされていることを確定する場合、端末により報告された５ＧネットワークにおけるキャリアのＲＳＳＩ（Received Signal Strength Indicator）に対する測定結果に基づいて確定される。
【００１１】
好ましくは、端末が５Ｇネットワークによってカバーされていることが確定する前、端末が５Ｇネットワークを介して通信する能力を有することが確定した後、端末に、５ＧネットワークにおけるキャリアのＲＳＳＩを測定させるように設定する。
【００１２】
好ましくは、前記端末の５Ｇネットワークの測定結果を受信した後、前記５Ｇネットワークのノードに転送する。
【００１３】
本発明の実施例に係るＬＴＥと５Ｇのタイト・インターワーキングの場合の通信処理方法は、
ＬＴＥ基地局側により転送された、５Ｇネットワークのノードが送信した測定設定を受信するステップと、
前記測定設定に従って５Ｇネットワークに対して信号処理を行うステップとを備える。
【００１４】
好ましくは、前記測定設定に従って５Ｇネットワークに対して信号処理を行うステップでは、
前記測定設定に従って５Ｇネットワークに５Ｇネットワーク信号を発送し、
および／または、前記測定設定に従って５Ｇネットワーク信号を検出・測定する。
【００１５】
好ましくは、前記測定設定に従って５Ｇネットワーク信号を検出・測定した後、検出・測定の測定結果をＬＴＥ基地局側へ報告する。
【００１６】
好ましくは、ＬＴＥ基地局側へ５ＧネットワークにおけるキャリアのＲＳＳＩに対する測定結果を報告する。
【００１７】
好ましくは、ＬＴＥ基地局側へ報告する、５ＧネットワークにおけるキャリアのＲＳＳＩに対する測定結果は、ＬＴＥ基地局側の設定に従って行った、５ＧネットワークにおけるキャリアのＲＳＳＩに対する測定の結果である。
【００１８】
好ましくは、ＬＴＥ基地局側により転送された、５Ｇネットワークのノードが送信した関連の設定を受信し、
前記関連の設定に従って５Ｇネットワークのノードと通信する。
【００１９】
本発明の実施例に係るＬＴＥと５Ｇのタイト・インターワーキングの場合の通信処理方法は、
ＬＴＥ基地局側から５Ｇネットワークの測定設定の要求を受信するステップと、
ＬＴＥ基地局側へ測定設定を送信するステップと、
前記測定設定に従って信号処理を行うステップとを備える。
【００２０】
好ましくは、前記測定設定に従って信号処理を行うステップでは、
前記測定設定に従って５Ｇネットワークに発送した信号を測定し、
および／または、前記測定設定に従って５Ｇネットワーク信号を発送する。
【００２１】
好ましくは、前記測定設定に従って５Ｇネットワークに発送した信号を測定して得られた測定結果に基づき、前記信号を発送する端末と通信を行うリソースを設定し、
および／または、ＬＴＥ基地局側より転送された、前記測定設定に従って発送した５Ｇネットワーク信号を測定して得られた測定結果に基づき、前記信号を測定する端末と通信を行うリソースを設定する。
【００２２】
好ましくは、通信を行うリソースの関連の設定をＬＴＥ基地局側に送信する。
【００２３】
好ましくは、前記関連の設定によって、端末と通信する。
【００２４】
本発明の実施例に係るＬＴＥと５Ｇのタイト・インターワーキングの場合の通信処理装置は、
端末が５Ｇネットワークによってカバーされていることが確定した後、５Ｇネットワークのノードに５Ｇネットワークの測定設定を要求する、測定設定要求の送信モジュールと、
５Ｇネットワークのノードから測定設定を受信した後、前記端末に転送する、測定設定の転送モジュールとを備える。
【００２５】
好ましくは、前記測定設定要求の送信モジュールは、端末により報告された５ＧネットワークにおけるキャリアのＲＳＳＩ（Received Signal Strength Indicator）に対する測定結果に基づいて、端末が５Ｇネットワークによってカバーされていることを確定する。
【００２６】
好ましくは、前記設定測定モジュールは、端末が５Ｇネットワークによってカバーされていることが確定する前、端末が５Ｇネットワークを介して通信する能力を有することが確定した後、端末に、５ＧネットワークにおけるキャリアのＲＳＳＩを測定させるように設定する。
【００２７】
好ましくは、前記端末の５Ｇネットワークの測定結果を受信した後、前記５Ｇネットワークのノードに転送する、測定結果の転送モジュールをさらに備える。
【００２８】
本発明の実施例に係るＬＴＥと５Ｇのタイト・インターワーキングの場合の通信処理装置は、
ＬＴＥ基地局側により転送された、５Ｇネットワークのノードが送信した測定設定を受信する、測定設定の受信モジュールと、
前記測定設定に従って５Ｇネットワークにおいて、信号処理を行う、端末信号処理モジュールとを備える。
【００２９】
好ましくは、端末信号処理モジュールは、端末発送ユニットおよび／または端末測定ユニットを備え、
前記端末発送ユニットは、前記測定設定に従って５Ｇネットワークに５Ｇネットワーク信号を発送することに用いられ、
前記端末測定ユニットは、前記測定設定に従って５Ｇネットワーク信号を検出・測定することに用いられる。
【００３０】
好ましくは、前記測定設定に従って５Ｇネットワーク信号を検出・測定した後、検出・測定の測定結果をＬＴＥ基地局側へ報告する、測定結果報告モジュールをさらに備える。
【００３１】
好ましくは、ＬＴＥ基地局側へ、５ＧネットワークにおけるキャリアのＲＳＳＩに対する測定結果を報告する、ＲＳＳＩ報告モジュールをさらに備える。
【００３２】
好ましくは、前記ＲＳＳＩ報告モジュールは、さらに、ＬＴＥ基地局側に、ＬＴＥ基地局側の設定に従って行った５ＧネットワークにおけるキャリアのＲＳＳＩに対する測定の結果を報告する。
【００３３】
好ましくは、ＬＴＥ基地局側により転送された、５Ｇネットワークのノードが送信した関連の設定を受信し、前記関連の設定に従って５Ｇネットワークのノードと通信する、端末通信モジュールをさらに備える。
【００３４】
本発明の実施例に係るＬＴＥと５Ｇのタイト・インターワーキングの場合の通信処理装置は、
ＬＴＥ基地局側から５Ｇネットワークの測定設定の要求を受信する、測定設定要求の受信モジュールと、
ＬＴＥ基地局側へ測定設定を送信する、測定設定の送信モジュールと、
前記測定設定に従って信号処理を行う、５Ｇ信号処理モジュールとを備える。
【００３５】
好ましくは、５Ｇ信号処理モジュールは、５Ｇ発送ユニットおよび／または５Ｇ測定ユニットを備え、 
前記５Ｇ測定ユニットは、前記測定設定に従って５Ｇネットワークに発送した信号を測定することに用いられ、
前記５Ｇ発送ユニットは、前記測定設定に従って５Ｇネットワーク信号を発送することに用いられる。
【００３６】
好ましくは、前記測定設定に従って５Ｇネットワークに発送した信号を測定して得られた測定結果に基づき、前記信号を発送する端末と通信を行うリソースを設定し、および／または、ＬＴＥ基地局側より転送された、前記測定設定に従って発送した５Ｇネットワーク信号を測定して得られた測定結果に基づき、前記信号を測定する端末と通信を行うリソースを設定する、設定モジュールをさらに備える。
【００３７】
好ましくは、前記設定モジュールは、通信を行うリソースの関連の設定をＬＴＥ基地局側に送信することに用いられる。
【００３８】
好ましくは、前記関連の設定によって、端末と通信する５Ｇ通信モジュールをさらに備える。
【００３９】
本発明の実施例に係るＬＴＥと５Ｇのタイト・インターワーキングの場合の通信処理装置は、プロセッサと、メモリと、送受信機とを備え、
前記プロセッサは、メモリに格納されたプログラムを読み出し、
前記測定設定に従って５Ｇネットワークに対して信号処理を行い、 
前記送受信機は、プロセッサの制御によりデータを送受信して、
ＬＴＥ基地局側により転送された、５Ｇネットワークのノードが送信した測定設定を受信する。
【００４０】
好ましくは、前記測定設定に従って５Ｇネットワークに対して信号処理を行うことでは、
前記測定設定に従って５Ｇネットワークに５Ｇネットワーク信号を発送し、
および／または、前記測定設定に従って５Ｇネットワーク信号を検出・測定する。
【００４１】
好ましくは、前記測定設定に従って５Ｇネットワーク信号を検出・測定した後、検出・測定の測定結果をＬＴＥ基地局側へ報告する。
【００４２】
好ましくは、ＬＴＥ基地局側へ５ＧネットワークにおけるキャリアのＲＳＳＩに対する測定結果を報告する。
【００４３】
好ましくは、ＬＴＥ基地局側へ報告する５ＧネットワークにおけるキャリアのＲＳＳＩに対する測定結果は、ＬＴＥ基地局側の設定に従って行った、５ＧネットワークにおけるキャリアのＲＳＳＩに対する測定の結果である。
【００４４】
好ましくは、ＬＴＥ基地局側により転送された、５Ｇネットワークのノードが送信した関連の設定を受信し、
前記関連の設定に従って５Ｇネットワークのノードと通信する。
【００４５】
本発明の実施例に係るＬＴＥと５Ｇのタイト・インターワーキングの場合の通信処理装置は、プロセッサと、メモリと、送受信機とを備え、
前記プロセッサは、メモリに格納されたプログラムを読み出し、
送受信機の要求に応じてデータ処理を行い、
前記送受信機は、プロセッサの制御によりデータを送受信して、
端末が５Ｇネットワークによってカバーされていることが確定した後、５Ｇネットワークのノードに５Ｇネットワークの測定設定を要求し、
５Ｇネットワークのノードから測定設定を受信した後、前記端末に転送する。
【００４６】
好ましくは、前記端末が５Ｇネットワークによってカバーされていることを確定する場合、端末により報告された５ＧネットワークにおけるキャリアのＲＳＳＩに対する測定結果に基づいて確定される。
【００４７】
好ましくは、端末が５Ｇネットワークによってカバーされていることが確定する前、端末が５Ｇネットワークを介して通信する能力を有することが確定した後、端末に、５ＧネットワークにおけるキャリアのＲＳＳＩを測定させるように設定する。
【００４８】
好ましくは、前記端末の５Ｇネットワークの測定結果を受信した後、前記５Ｇネットワークのノードに転送する。
【００４９】
本発明の実施例に係るＬＴＥと５Ｇのタイト・インターワーキングの場合の通信処理装置は、プロセッサと、メモリと、送受信機とを備え、
前記プロセッサは、メモリに格納されたプログラムを読み出し、
ＬＴＥ基地局側へ送信する測定設定に従って信号処理を行い、
前記送受信機は、プロセッサの制御によりデータを送受信して、
ＬＴＥ基地局側から５Ｇネットワークの測定設定の要求を受信し、
ＬＴＥ基地局側へ前記測定設定を送信する。
【００５０】
好ましくは、前記測定設定に従って信号処理を行うことでは、
前記測定設定に従って５Ｇネットワークに発送した信号を測定し、
および／または、前記測定設定に従って５Ｇネットワーク信号を発送する。
【００５１】
好ましくは、前記測定設定に従って５Ｇネットワークに発送した信号を測定して得られた測定結果に基づき、前記信号を発送する端末と通信を行うリソースを設定し、
および／または、ＬＴＥ基地局側より転送された、前記測定設定に従って発送した５Ｇネットワーク信号を測定して得られた測定結果に基づき、前記信号を測定する端末と通信を行うリソースを設定する。
【００５２】
好ましくは、通信を行うリソースの関連の設定をＬＴＥ基地局側に送信する。
【００５３】
好ましくは、前記関連の設定によって、端末と通信する。
【発明の効果】
【００５４】
本発明の有益な技術効果は以下とおりである。
【００５５】
本発明の実施例に係る技術的な解決策によれば、ＬＴＥと５Ｇのタイト・インターワーキングの場合の通信処理を行う場合、ＬＴＥ基地局側において、端末が５Ｇネットワークによってカバーされていることが確定した後、５Ｇネットワークのノードに対し、５Ｇネットワークの測定設定を要求し、５Ｇネットワークのノードから測定設定を受信した後、前記端末に転送する。
端末側において、ＬＴＥ基地局側により転送された、５Ｇネットワークのノードが送信した測定設定を受信し、前記測定設定に従って５Ｇネットワークに対して信号処理を行う。
【００５６】
５Ｇネットワークのノードは、ＬＴＥ基地局側から５Ｇネットワークの測定設定の要求を受信し、ＬＴＥ基地局側へ測定設定を送信し、前記測定設定に従って信号処理を行う。
【００５７】
よって、ＵＥが５Ｇネットワークによってカバーされていることが確定された後、より精密でより適切な５Ｇ測定が行われるので、関連するシグナリングオーバヘッドを下げることができる。上述の技術的な解決策によれば、５Ｇセカンダリ基地局と５Ｇキャリアを追加するかどうかをネットワーク側で判断する解決案が提供されている。
【図面の簡単な説明】
【００５８】
本発明に係る実施例や従来の技術的な解決策をより明確に説明するために、以下に実施例を説明するために必要な図面について簡単に説明する。無論、以下の説明における図面は、本発明に係る実施例の一部であり、当業者は、創造性作業を行わないことを前提として、これらの図面に基づいて他の図面を得ることができる。
【００５９】
【図１】背景技術に係る、Ｅ−ＵＴＲＡＮのネットワークアーキテクチャを示す図である。
【図２】背景技術に係る、ＬＴＥデュアルコネクティビティ制御プレーンのアーキテクチャを示す図である。
【図３】背景技術に係る、ＬＴＥ＋５Ｇのタイト・インターワーキング（tight interworking）アーキテクチャを示す図である。
【図４】本発明の実施例に係る、端末側におけるＬＴＥと５Ｇのタイト・インターワーキングの場合の通信処理方法のフローチャートである。
【図５】本発明の実施例に係る、ＬＴＥ基地局側におけるＬＴＥと５Ｇのタイト・インターワーキングの場合の通信処理方法のフローチャートである。
【図６】本発明の実施例に係る、５Ｇネットワークノード側におけるＬＴＥと５Ｇのタイト・インターワーキングの場合の通信処理方法のフローチャートである。
【図７】本発明の実施例に係る、ＬＴＥと５Ｇのタイト・インターワーキングの場合の通信処理方法のフローチャートである。
【図８】本発明の実施例に係る、端末が信号を送信して、５Ｇネットワークのノードが測定する場合のＬＴＥと５Ｇのタイト・インターワーキングの場合の通信処理方法のフローチャートである。
【図９】本発明の実施例に係る、５Ｇネットワークのノードが信号を送信して、端末が測定する場合のＬＴＥと５Ｇのタイト・インターワーキングの場合の通信処理方法のフローチャートである。
【図１０】本発明の実施例に係る、ＬＴＥ基地局上のＬＴＥと５Ｇのタイト・インターワーキングの場合の通信処理装置の構成図である。
【図１１】本発明の実施例に係る、端末側おけるＬＴＥと５Ｇのタイト・インターワーキングの場合の通信処理装置の構成図である。
【図１２】本発明の実施例に係る、５Ｇネットワークのノード側におけるＬＴＥと５Ｇのタイト・インターワーキングの場合の通信処理装置の構成図である。
【図１３】本発明の実施例に係る、端末の構成図である。
【図１４】本発明の実施例に係る、ＬＴＥ基地局の構成図である。
【図１５】本発明の実施例に係る、５Ｇネットワークのノードの構成図である。
【発明を実施するための形態】
【００６０】
ＬＴＥシステムとタイト・インターワーキング（tight interworking）は、５Ｇシステムに対して要求され、目標とされているようにサポートされなければならない。初期展開の典型的なシナリオでは、コアネットワークはＬＴＥコアネットワークであり、アクセスネットワーク側の５ＧのノードはＬＴＥ ｅＮＢに接続され、ＬＴＥ基地局はマスタ基地局（ＭｅＮＢ）であり、５Ｇネットワークのノードはセカンダリ基地局（SｅＮＢ）である。ＬＴＥ基地局は、５Ｇネットワークのノードが一部のＵＥにもサービスを提供できるようにするかどうかを決定することができる。しかし、このシナリオでは、ＬＴＥ基地局がどのようにしてＵＥのための５Ｇのノードを選択するかについては、未解決のままである。これを考慮して、本発明に係る実施例は、ＬＴＥおよび５Ｇのデュアルコネクティビティのシナリオにおいて、ＵＥのための５Ｇ送受信ノードを選択する解決策を提供するために、ＬＴＥと５Ｇのタイト・インターワーキングの場合の通信処理を提供する。
【００６１】
この解決案では、一般に、ＬＴＥマスター基地局は、粗測定に基づいてＵＥが５Ｇネットワークによってカバーされているかどうかを判定し、さらに５Ｇ関連測定に関して５Ｇネットワークのノードとネゴシエーションを行い、５Ｇネットワークのノードは、端末にサービスするための無線リソースを提供する。以下、詳しく説明する。
【００６２】
ＬＴＥマスター基地局は、キャリア受信信号強度インジケータ（Received Signal Strength Indication，ＲＳＳＩ）に従って、ＵＥが５Ｇネットワークによってカバーされていることを判断することができる。ＬＴＥマスター基地局は、ＵＥが５Ｇネットワークによってカバーされているかどうかを、ＲＳＳＩのみに従って判定することには限られず、ＲＳＳＩを使用するこの実施例は単純で複雑さが低いので、ここではＲＲＳＩが例示されているが、ＬＴＥ マスター基地局は、別の適切な方法で、例えば位置情報に従って、ＵＥが５Ｇネットワークによってカバーされているかどうかを決定することもできる。当業者に実際の実行方法を教示する目的のためだけに、上述のキャリアＲＳＳＩに従って決定が行われたが、これはこの方法でのみ決定が可能であることを示唆するものではない。実施の場合、実際の要求に応じて決定を行うこともできる。
【００６３】
ＬＴＥマスター基地局は、５Ｇネットワークのノードとネゴシエーションし、５Ｇネットワークのノードは測定設定を提供し、５Ｇの測定を開始させて、５Ｇ測定結果に従って、端末のために５Ｇのリソースを割り当てる。
【００６４】
以下、図面を参照しながら本発明の実施方式を説明する。
【００６５】
以下の説明では、端末側、ＬＴＥ基地局側、５Ｇネットワークノード側の実施方式についてそれぞれ説明し、実施の理解を深めるために３者が連携する実施方式についてさらに説明する。これは、３者が実施のために協力しなければならない、あるいは実施のために別々に動作する必要があることを示唆してはならないが、端末側、ＬＴＥ基地局側、および５Ｇネットワークノード側が別々に動作するとき、端末側、ＬＴＥ基地局側、５Ｇネットワークノード側のそれぞれの問題点を解決することができるが、３者が協力してより良い技術効果を得ることができる。
【００６６】
図４は、端末側でのＬＴＥと５Ｇのタイト・インターワーキングの場合の通信処理方法のフローチャートであり、図に示すように、以下のステップを備える。
【００６７】
ステップ４０１において、ＬＴＥ基地局側により転送された、５Ｇネットワークのノードが送信した測定設定を受信する。
ステップ４０２において、前記測定設定に従って５Ｇネットワークに対して信号処理を行う。
【００６８】
実施例では、前記測定設定に従って５Ｇネットワークに対して信号処理を行うステップは、
前記測定設定に従って５Ｇネットワークに５Ｇネットワーク信号を発送し、
および／または、前記測定設定に従って５Ｇネットワーク信号を検出・測定する。
【００６９】
実施例では、前記測定設定に従って５Ｇネットワーク信号を検出・測定した後、検出・測定の測定結果をＬＴＥ基地局側へ報告する。
【００７０】
実施例では、さらに、ＬＴＥ基地局側へ５ＧネットワークにおけるキャリアのＲＳＳＩに対する測定結果を報告する。
【００７１】
実施例では、ＬＴＥ基地局側へ報告する５ＧネットワークにおけるキャリアのＲＳＳＩに対する測定結果は、ＬＴＥ基地局側の設定に従って行った５ＧネットワークにおけるキャリアのＲＳＳＩに対する測定の結果であることができる。
【００７２】
実施例では、さらに、ＬＴＥ基地局側により転送された、５Ｇネットワークのノードが送信した関連の設定を受信し、前記関連の設定に従って５Ｇネットワークのノードと通信する。
【００７３】
具体的に、端末側の動作としては、ＬＴＥ基地局の設定に従って、５ＧキャリアＲＳＳＩを測定して、測定結果を報告する。
【００７４】
ＬＴＥ基地局により送信された５Ｇ測定の設定に従って、５Ｇの測定を行うか、または、５Ｇのアップリンク専用信号を送信する。
【００７５】
図５は、ＬＴＥ基地局側でのＬＴＥと５Ｇのタイト・インターワーキングの場合の通信処理方法のフローチャートであり、図に示すように、以下のステップを備える。
【００７６】
ステップ５０１において、端末が５Ｇネットワークによってカバーされていることが確定した後、５Ｇネットワークのノードに５Ｇネットワークの測定設定を要求する。
ステップ５０２において、５Ｇネットワークのノードから測定設定を受信した後、前記端末に転送する。
【００７７】
実施例では、前記端末が５Ｇネットワークによってカバーされていることを確定する場合、端末により報告された５ＧネットワークにおけるキャリアのＲＳＳＩに対する測定結果に基づいて確定される。
【００７８】
実施例では、端末が５Ｇネットワークによってカバーされていることが確定する前、端末が５Ｇネットワークを介して通信する能力を有することが確定した後、端末に、５ＧネットワークにおけるキャリアのＲＳＳＩを測定させるように設定する。
【００７９】
実施例では、さらに、前記端末の５Ｇネットワークの測定結果を受信した後、前記５Ｇネットワークのノードに転送する。
【００８０】
具体的に、ＬＴＥ基地局側の動作としては、端末が５Ｇ能力を有するとの情報を取得した後、端末に、５ＧキャリアのＲＳＳＩの測定を行わせるように設定することができる。
【００８１】
端末により報告された５ＧキャリアのＲＳＳＩの測定結果に基づき、端末が５Ｇによってカバーされていることが判断された場合、５Ｇの測定設定を要求するメッセージを、５Ｇネットワークのノードへ送信することができる。
【００８２】
５Ｇネットワークのノードにより送信された測定設定を受信した後、端末に転送する。
【００８３】
端末の５Ｇの測定結果を受信すると、５Ｇネットワークのノードに転送する。
【００８４】
図６は、５Ｇネットワークノード側でのＬＴＥと５Ｇのタイト・インターワーキングの場合の通信処理方法のフローチャートであり、図に示すように、以下のステップを備える。
【００８５】
ステップ６０１において、ＬＴＥ基地局側から５Ｇネットワークの測定設定の要求を受信する。
ステップ６０２において、ＬＴＥ基地局側へ測定設定を送信する。
ステップ６０３において、前記測定設定に従って信号処理を行う。
【００８６】
実施例では、前記測定設定に従って信号処理を行うステップは、
前記測定設定に従って５Ｇネットワークに発送した信号を測定し、
および／または、前記測定設定に従って５Ｇネットワーク信号を発送する。
【００８７】
実施例では、さらに、前記測定設定に従って５Ｇネットワークに発送した信号を測定して得られた測定結果に基づき、前記信号を発送する端末と通信を行うリソースを設定し、および／または、ＬＴＥ基地局側より転送された、前記測定設定に従って発送した５Ｇネットワーク信号を測定して得られた測定結果に基づき、前記信号を測定する端末と通信を行うリソースを設定する。
【００８８】
実施例では、さらに、通信を行うリソースの関連の設定をＬＴＥ基地局側に送信する。
【００８９】
実施例では、さらに、前記関連の設定によって、端末と通信する。
【００９０】
具体的に、５Ｇネットワークのノード側での動作としては、ＬＴＥ基地局から要求メッセージを受信すると、５Ｇの測定設定を行い、測定結果をＬＴＥ基地局に送信する。
【００９１】
受信した端末の測定結果、または、受信した５Ｇネットワーク側の測定結果に基づき、端末のために５Ｇリソース及び設定情報を割り当て、ＬＴＥ基地局へ送信する。
【００９２】
具体的に、端末がＬＴＥ基地局側、５Ｇネットワークのノードと三者協働実施の場合、いかのとおりに実施する。
【００９３】
図７は、ＬＴＥと５Ｇのタイト・インターワーキングの場合の通信処理方法のフローチャートであり、図に示すように、以下のステップを備える。
【００９４】
ステップ７０１において、ＬＴＥ基地局は、５Ｇの能力が含まれる端末の能力を取得する。
ステップ７０２において、ＬＴＥ基地局は、ＵＥ（端末）にＲＳＳＩ測定を行わせるように設定する。
ステップ７０３において、端末は、ＲＳＳＩを測定・報告する。
ステップ７０４において、ＬＴＥ基地局は、端末が５Ｇによってカバーされていると判断し、５Ｇネットワークのノードとネゴシエーションして、新しい測定設定を取得する。  ステップ７０５において、ＬＴＥ基地局は、５Ｇ測定設定を端末に送信する。
ステップ７０６において、５Ｇ測定結果を取得する。
ステップ７０７において、５Ｇリソースを設定する。
ステップ７０８において、５Ｇネットワークのノード関連の設定を追加する。
実施方式をより明確に理解させるため、以下、例を挙げて説明する。
【００９５】
実施例１
図８は、端末が信号を送信して、５Ｇネットワークのノードが測定する場合のＬＴＥと５Ｇのタイト・インターワーキングの場合の通信処理方法のフローチャートであり、図に示すように、以下のステップを備える。
【００９６】
ステップ８０１において、ＬＴＥ基地局は、５Ｇの能力が含まれる端末の能力を取得する。
ステップ８０２において、ＬＴＥ基地局は、ＵＥ（端末）にＲＳＳＩ測定を行わせるように設定する。
ステップ８０３において、端末は、ＲＳＳＩを測定・報告する。
ステップ８０４において、ＬＴＥ基地局は、５Ｇネットワークのノードに、新ユーザの追加を要求する。
具体的に、ユーザ情報及び関連能力を含む。
ステップ８０５において、５Ｇネットワークのノードは、ＬＴＥ基地局に、新しい５Ｇ測定設定を提供する。
ステップ８０６において、ＬＴＥ基地局は、５Ｇ測定設定を端末に転送する。
ステップ８０７において、端末は、５Ｇ専用信号を送信する。
ステップ８０８において、５Ｇネットワークのノードは、専用信号を測定する。
ステップ８０９において、５Ｇネットワークのノードは、能力及び測定結果に基づいてリソースを割り当てる。
ステップ８１０において、５Ｇネットワークのノードは、ＬＴＥ基地局に、５Ｇネットワークのノード関連の設定を送信する。
ステップ８１１において、ＬＴＥ基地局は、端末に、５Ｇネットワークのノード関連の設定の追加を要求する。
【００９７】
実施例において、端末は信号を送信し、５Ｇネットワークのノードは測定する。
【００９８】
ＬＴＥ基地局は、端末の能力を受信した後、端末が５Ｇをサポートすることを知ると、端末によりサポートされた５Ｇ周波数及び５Ｇ基地局配置の状況に基づいて、端末に、サポートする帯域のＲＳＳＩに対する測定を行わせるように設定する。端末は、測定設定を受信した後、関連の５ＧキャリアＲＳＳＩ測定を開始させ、測定結果をＬＴＥ基地局に報告する。ＬＴＥ基地局は、測定結果を受信した後、ＲＳＳＩの測定結果に基づいて当該端末が５Ｇネットワークのノードによってカバーされていることが確定した場合、関連の５Ｇネットワークのノードとネゴシエーションする。５Ｇネットワークのノードは、当該端末のために専用のアップリンクリファレンス信号及び関連の設定情報を割り当てて、端末に、５Ｇネットワークのノードへ関連信号を発送させるようにする。
【００９９】
ＬＴＥノードは、５Ｇネットワークのノードから測定設定を受信した後、関連の端末に送信する。端末は、設定に従って５Ｇ信号を発送する。同時に、５Ｇネットワークのノードは、低位層において信号を測定するように設定し、かつ、低位層により報告された測定結果に基づいて、端末のために５Ｇリソースを割り当てる。また、ＬＴＥ基地局を介して転送する。
【０１００】
端末は、５Ｇ関連の設定を受信した後、５Ｇネットワークのノードと直ちに通信して、サビースを得、ユーザデータを伝送することができる。
【０１０１】
実施例２
図９は、５Ｇネットワークのノードが信号を送信して、端末が測定する場合のＬＴＥと５Ｇのタイト・インターワーキングの場合の通信処理方法のフローチャートであり、図に示すように、以下のステップを備える。
【０１０２】
ステップ９０１において、ＬＴＥ基地局は、５Ｇの能力が含まれる端末の能力を取得する。
ステップ９０２において、ＬＴＥ基地局は、ＵＥ（端末）にＲＳＳＩ測定を行わせるように設定する。
ステップ９０３において、端末は、ＲＳＳＩを測定・報告する。
ステップ９０４において、ＬＴＥ基地局は、５Ｇネットワークのノードに、新ユーザの追加を要求する。
具体的に、ユーザ情報及び関連能力を含む。
ステップ９０５において、５Ｇネットワークのノードは、ＬＴＥ基地局に、新しい５Ｇ測定設定を提供する。
ステップ９０６において、ＬＴＥ基地局は、端末に５Ｇ測定設定を転送する。
ステップ９０７において、５Ｇネットワークのノードは、ダウンリンクリファレンス・シンボルを送信する。
ステップ９０８において、端末は、ダウンリンク信号を測定する。
ステップ９０９において、端末は、ＬＴＥ基地局に測定結果を報告する。
ステップ９１０において、ＬＴＥ基地局は、５Ｇネットワークのノードに測定報告を転送する。
ステップ９１１において、５Ｇネットワークのノードは、能力及び測定結果に基づいてリソースを割り当てる。
ステップ９１２において、５Ｇネットワークのノードは、ＬＴＥ基地局へ５Ｇネットワークのノード関連の設定を送信する。
ステップ９１３において、ＬＴＥ基地局は、端末に、５Ｇネットワークのノード関連の設定の追加を要求する。
【０１０３】
本実施例では、５Ｇネットワークのノードは信号を送信し、端末は測定する。
【０１０４】
ＬＴＥ基地局は、端末の能力を受信した後、端末が５Ｇをサポートすることを知ると、端末によりサポートされた５Ｇ周波数及び５Ｇ基地局配置の状況に基づいて、端末に、サポートする帯域のＲＳＳＩに対する測定を行わせるように設定する。端末は、測定設定を受信した後、関連の５ＧキャリアＲＳＳＩ測定を開始させ、測定結果をＬＴＥ基地局に報告する。ＬＴＥ基地局は、測定結果を受信した後、ＲＳＳＩの測定結果に基づいて当該端末が５Ｇネットワークのノードによってカバーされていることが確定すると、関連の５Ｇネットワークのノードとネゴシエーションする。
【０１０５】
５Ｇネットワークのノードは、端末能力に応じて、利用可能の送受信ノード（Transmitter Receiver Point，ＴＲＰ）のリファレンス・シンボルまたはビーム（beam）のリファレンス・シンボル、または、セルのリファレンス・シンボル及び関連の設定情報を、端末のために設定する。端末は、関連の設定に基づいて信号の検出・測定を行い、測定結果をＬＴＥ基地局を介して５Ｇネットワークのノードに報告する。５Ｇネットワークのノードは、端末により報告された結果に基づいて低位層のリソース設定を確定し、ＬＴＥ基地局を介して端末に転送する。
【０１０６】
端末は、５Ｇ関連の設定を受信した後、５Ｇネットワークのノードと直ちに通信して、サビースを得、ユーザデータを伝送することができる。
【０１０７】
同様な発明思想に基づき、本発明に係る実施例は、ＬＴＥと５Ｇのタイト・インターワーキングの場合の通信処理装置をさらに提供し、これらの装置の課題解決原理は、ＬＴＥと５Ｇのタイト・インターワーキングの場合の通信処理方法が類似するため、当該装置の実施は、方法の実施を参考することができ、繰り返して説明しない。
【０１０８】
図１０は、ＬＴＥ基地局上のＬＴＥと５Ｇのタイト・インターワーキングの場合の通信処理装置の構成図である。図に示すように、以下の構成を備える。
【０１０９】
通信処理装置は、
端末が５Ｇネットワークによってカバーされていることが確定した後、５Ｇネットワークのノードに５Ｇネットワークの測定設定を要求する、測定設定要求の送信モジュール１００１と、
５Ｇネットワークのノードから測定設定を受信した後、前記端末に転送する、測定設定の転送モジュール１００２とを備える。
【０１１０】
実施例では、前記測定設定要求の送信モジュールは、端末により報告された５ＧネットワークにおけるキャリアのＲＳＳＩに対する測定結果に基づいて、端末が５Ｇネットワークによってカバーされていることを確定する。
【０１１１】
実施例では、端末が５Ｇネットワークによってカバーされていることが確定する前、端末が５Ｇネットワークを介して通信する能力を有することが確定した後、端末に、５ＧネットワークにおけるキャリアのＲＳＳＩを測定させるように設定する、設定測定モジュール１００３をさらに備える。
【０１１２】
実施例では、前記端末の５Ｇネットワークの測定結果を受信した後、前記５Ｇネットワークのノードに転送する、測定結果の転送モジュール１００４をさらに備える。
【０１１３】
図１１は、端末側のＬＴＥと５Ｇのタイト・インターワーキングの場合の通信処理装置の構成図である。図に示すように、以下の構成を備える。
【０１１４】
通信処理装置は、
ＬＴＥ基地局側により転送された、５Ｇネットワークのノードが送信した測定設定を受信する、測定設定の受信モジュール１１０１と、
前記測定設定に従って５Ｇネットワークに対して信号処理を行う、端末信号処理モジュール１１０２とを備える。
【０１１５】
実施例では、端末信号処理モジュールは、端末発送ユニットおよび／または端末測定ユニットを備える。
【０１１６】
前記端末発送ユニットは、前記測定設定に従って５Ｇネットワークに５Ｇネットワーク信号を発送することに用いられる。
【０１１７】
前記端末測定ユニットは、前記測定設定に従って５Ｇネットワーク信号を検出・測定することに用いられる。
【０１１８】
実施例では、前記測定設定に従って５Ｇネットワーク信号を検出・測定した後、検出・測定の測定結果をＬＴＥ基地局側へ報告する、測定結果報告モジュール１１０３をさらに備える。
【０１１９】
実施例では、ＬＴＥ基地局側へ５ＧネットワークにおけるキャリアのＲＳＳＩに対する測定結果を報告する、ＲＳＳＩ報告モジュール１１０４をさらに備えることができる。
【０１２０】
実施例では、前記ＲＳＳＩ報告モジュールは、さらに、ＬＴＥ基地局側に、ＬＴＥ基地局側の設定に従って行った５ＧネットワークにおけるキャリアのＲＳＳＩに対する測定の結果を報告することができる。
【０１２１】
実施例では、ＬＴＥ基地局側により転送された、５Ｇネットワークのノードが送信した関連の設定を受信し、前記関連の設定に従って５Ｇネットワークのノードと通信する、端末通信モジュール１１０５をさらに備える。
【０１２２】
図１２は、５Ｇネットワークのノード側でのＬＴＥと５Ｇのタイト・インターワーキングの場合の通信処理装置の構成図である。図に示すように、以下の構成を備える。
【０１２３】
通信処理装置は、
ＬＴＥ基地局側から５Ｇネットワークの測定設定の要求を受信する、測定設定要求の受信モジュール１２０１と、
ＬＴＥ基地局側へ測定設定を送信する、測定設定の送信モジュール１２０２と、
前記測定設定に従って信号処理を行う、５Ｇ信号処理モジュール１２０３とを備える。
【０１２４】
実施例では、５Ｇ信号処理モジュールは、５Ｇ発送ユニットおよび／または５Ｇ測定ユニットを備える。
【０１２５】
前記５Ｇ測定ユニットは、前記測定設定に従って５Ｇネットワークに発送した信号を測定することに用いられる。
【０１２６】
前記５Ｇ発送ユニットは、前記測定設定に従って５Ｇネットワーク信号を発送することに用いられる。
【０１２７】
実施例では、前記測定設定に従って５Ｇネットワークに発送した信号を測定して得られた測定結果に基づき、前記信号を発送する端末と通信を行うリソースを設定し、および／または、ＬＴＥ基地局側より転送された、前記測定設定に従って発送した５Ｇネットワーク信号を測定して得られた測定結果に基づき、前記信号を測定する端末と通信を行うリソースを設定する、設定モジュール１２０４をさらに備える。
【０１２８】
実施例では、前記設定モジュールは、さらに、通信を行うリソースの関連の設定をＬＴＥ基地局側に送信する、５Ｇ通信モジュール１２０５をさらに備える。
【０１２９】
実施例では、前記関連の設定によって、端末と通信する。
【０１３０】
説明の便宜のために、上述の装置の様々な部分は、機能によって様々なモジュールまたはユニットに別々に記載されている。もちろん、各モジュールまたはユニットの機能は、本出願の実施において同じソフトウェアまたはハードウェアで実施することができる。
【０１３１】
本発明に係る実施例によって提供される技術的構成を実施する際には、以下のように実施することができる。
【０１３２】
図１３は、端末の構成図である。
【０１３３】
図に示すように、端末は、プロセッサ１３００と、メモリ１３２０と、送受信機１３１０とを備える。
【０１３４】
前記プロセッサ１３００は、メモリ１３２０に格納されたプログラムを読み出して、前記測定設定に従って５Ｇネットワークに対して信号処理を行う。 
【０１３５】
前記送受信機１３１０は、プロセッサ１３００の制御によりデータを送受信して、ＬＴＥ基地局側により転送された、５Ｇネットワークのノードが送信した測定設定を受信する。
【０１３６】
実施例における、前記測定設定に従って５Ｇネットワークに対して信号処理を行うことでは、
前記測定設定に従って５Ｇネットワークに５Ｇネットワーク信号を発送し、
および／または、前記測定設定に従って５Ｇネットワーク信号を検出・測定する。
【０１３７】
実施例では、前記測定設定に従って５Ｇネットワーク信号を検出・測定した後、検出・測定の測定結果をＬＴＥ基地局側へ報告する。
【０１３８】
実施例では、ＬＴＥ基地局側へ５ＧネットワークにおけるキャリアのＲＳＳＩに対する測定結果を報告する。
【０１３９】
実施例では、ＬＴＥ基地局側へ報告する５ＧネットワークにおけるキャリアのＲＳＳＩに対する測定結果は、ＬＴＥ基地局側の設定に従って行った、５ＧネットワークにおけるキャリアのＲＳＳＩに対する測定の結果である。
【０１４０】
実施例では、ＬＴＥ基地局側により転送された、５Ｇネットワークのノードが送信した関連の設定を受信し、前記関連の設定に従って５Ｇネットワークのノードと通信する。
【０１４１】
図１３において、バスアーキテクチャは、任意の数の相互接続するバス及びブリッジを備える。具体的に、プロセッサ１３００が代表となる１つまたは複数のプロセッサ及びメモリ１３２０が代表となるメモリの各種回路により接続される。バスアーキテクチャは、周辺機器、電圧レギュレーター及び電力管理回路等の他の回路を接続することもできる。これらは、当該分野の周知技術であるため、本発明において、詳細に説明しない。バスインターフェースは、インターフェースを提供する。送受信機１３１０は複数のコンポーネントであることができ、即ち、送信機及び受信機を備え、伝送媒体を介して他の装置と通信するユニットを提供する。異なるユーザー設備に対し、ユーザインターフェース１３３０は、外部接続または内部接続に必要な設備のインターフェースであることもできる。接続する設備は、キーパッド、ディスプレー、スピーカー、マイクロホン、ジョイスティック等を備えるが、これに限られない。
【０１４２】
プロセッサ１３００は、バズアーキテクチャ及び通常の処理を管理し、メモリ１３２０は、プロセッサ１３００が動作する際に利用するデータを記憶することができる。
【０１４３】
図１４は、ＬＴＥ基地局の構成図である。図に示すように、ＬＴＥ基地局は、プロセッサ１４００と、メモリ１４２０と、送受信機１４１０とを備える。
【０１４４】
前記プロセッサ１４００は、メモリ１４２０に格納されたプログラムを読み出して、送受信機の要求に応じてデータ処理を行う。
【０１４５】
前記送受信機１４１０は、プロセッサ１４００の制御によりデータを送受信して、端末が５Ｇネットワークによってカバーされていることが確定した後、５Ｇネットワークのノードに５Ｇネットワークの測定設定を要求し、５Ｇネットワークのノードから測定設定を受信した後、前記端末に転送する。
【０１４６】
実施例では、前記端末が５Ｇネットワークによってカバーされていることを確定する場合、端末により報告された５ＧネットワークにおけるキャリアのＲＳＳＩに対する測定結果に基づいて確定される。
【０１４７】
実施例では、端末が５Ｇネットワークによってカバーされていることが確定する前、端末が５Ｇネットワークを介して通信する能力を有することが確定した後、端末に、５ＧネットワークにおけるキャリアのＲＳＳＩを測定させるように設定する。
【０１４８】
実施例では、前記端末の５Ｇネットワークの測定結果を受信した後、前記５Ｇネットワークのノードに転送する。
【０１４９】
ここで、図１４において、バスアーキテクチャは、任意の数の相互接続するバス及びブリッジを備え、具体的には、プロセッサ１４００が代表となる１つまたは複数のプロセッサ及びメモリ１４２０が代表となるメモリの各種回路により接続される。バスアーキテクチャは、周辺機器、電圧レギュレーター及び電力管理回路等の他の回路を接続することもできる。これらは、当該分野の周知技術であるため、本発明において、詳細に説明しない。バスインターフェースは、インターフェースを提供する。送受信機１４１０は、複数のコンポーネントであることができ、即ち、送信機及び受信機を備え、伝送媒体を介して他の装置と通信するユニットを提供する。プロセッサ１４００は、バスアーキテクチャを管理し、通常の処理を行い、メモリ１４２０は、プロセッサ１４００が動作する際に利用するデータを記憶することができる。
【０１５０】
図１５は、５Ｇネットワークのノードの構成図である。図に示すように、５Ｇネットワークのノードは、プロセッサ１５００と、メモリ１５２０と、送受信機１５１０とを備える。
【０１５１】
前記プロセッサ１５００は、メモリ１５２０に格納されたプログラムを読み出して、ＬＴＥ基地局側へ送信する測定設定に従って信号処理を行う。
【０１５２】
前記送受信機１５１０は、プロセッサ１５００の制御によりデータを送受信して、ＬＴＥ基地局側から５Ｇネットワークの測定設定の要求を受信し、ＬＴＥ基地局側へ前記測定設定を送信する。
【０１５３】
実施例における、前記測定設定に従って信号処理を行うことでは、前記測定設定に従って５Ｇネットワークに発送した信号を測定し、および／または、前記測定設定に従って５Ｇネットワーク信号を発送する。
【０１５４】
実施例では、前記測定設定に従って５Ｇネットワークに発送した信号を測定して得られた測定結果に基づき、前記信号を発送する端末と通信を行うリソースを設定し、および／または、ＬＴＥ基地局側より転送された、前記測定設定に従って発送した５Ｇネットワーク信号を測定して得られた測定結果に基づき、前記信号を測定する端末と通信を行うリソースを設定する。
【０１５５】
実施例では、通信を行うリソースの関連の設定をＬＴＥ基地局側に送信する。
【０１５６】
実施例では、前記関連の設定によって、端末と通信する。
【０１５７】
ここで、図１５において、バスアーキテクチャは、任意の数の相互接続するバス及びブリッジを備え、具体的に、プロセッサ１５００が代表となる１つまたは複数のプロセッサ及びメモリ１５２０が代表となるメモリの各種回路により接続される。バスアーキテクチャは、周辺機器、電圧レギュレーター及び電力管理回路等の他の回路を接続することもできる。これらは、当該分野の周知技術であるため、本発明において、詳細に説明しない。バスインターフェースは、インターフェースインターフェースを提供する。送受信機１５１０は、複数のコンポーネントであることができ、即ち、送信機及び受信機を備え、伝送媒体を介して他の装置と通信するユニットを提供する。プロセッサ１５００は、バスアーキテクチャを管理し、通常の処理を行い、メモリ１５２０は、プロセッサ１５００が動作する際に利用するデータを記憶することができる。
【０１５８】
よって、本発明の実施例に係る技術案によれば、ＬＴＥ＋５Ｇ interworking（non-standaloneとも称する）の場合、主に２つのステップで、５Ｇネットワークのノードを追加し、リソースを割り当てる。
【０１５９】
まず、ＬＴＥマスター基地局は、キャリアＲＳＳＩに基づき、端末が５Ｇによってカバーされていることを判断する。
【０１６０】
次に、ＬＴＥマスター基地局は、５Ｇネットワークのノードとネゴシエーションし、５Ｇネットワークのノードは測定設定を提供し、５Ｇの測定を開始させて、さらに５Ｇ測定結果にもとづいて、端末のために割り当てる５Ｇのリソースを決める。
【０１６１】
本発明に係る実施例の技術的な解決策は、デュアルコネクティビティをサポートし、ＬＴＥ＋５Ｇノンスタンドアローン（non-standalone）シナリオで５Ｇネットワークのノードを追加する解決法を提案する。この解決法の利点は、繰り返し検出することなく単にキャリア信号強度を用いてＲＳＳＩを測定するため、端末での実施の複雑性を低減することができることである。端末が５Ｇネットワークにカバーされていると判断された後に、より適切でより精密な５Ｇ測定が行われるので、関連するシグナリングオーバーヘッドを低減させることができ、端末の電力消費を節約することができる。
【０１６２】
本技術分野の当業者であれば、本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることが理解できるはずである。また、本発明は、一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むが、これらに限定されない）において実施することができる。
【０１６３】
以上では、本発明の実施形態について、方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサは、これらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１６４】
これらのコンピュータプログラム指令はまた、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１６５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１６６】
無論、当業者によって、上述した実施形態に記述された技術的な解決手段を改変し、或いはその中の一部の技術要素を置換することもできる。そのような、改変や置換は、本発明の技術的思想や本発明の技術的範囲から逸脱するものとは見なされない。そのような改変や置換は、すべて本発明の請求の範囲に属する。
【０１６７】
本出願は、２０１６年６月２４日に中国特許局に提出し、出願番号が２０１６１０４７４４３４.４、であり、発明の名称が「ＬＴＥと５Ｇのタイト・インターワーキングの場合の通信処理方法及び装置」である中国特許出願、を基礎とする優先権を主張し、その開示の総てをここに取り込む。
【図１】
2020167716.tif 000003
【図２】
2020167716.tif 000004
【図３】
2020167716.tif 000005
【図４】
2020167716.tif 000006
【図５】
2020167716.tif 000007
【図６】
2020167716.tif 000008
【図７】
2020167716.tif 000009
【図８】
2020167716.tif 000010
【図９】
2020167716.tif 000011
【図１０】
2020167716.tif 000012
【図１１】
2020167716.tif 000013
【図１２】
2020167716.tif 000014
【図１３】
2020167716.tif 000015
【図１４】
2020167716.tif 000016
【図１５】
2020167716.tif 000017